(57)【要約】【課題】配電工事情報を広範囲にリアルタイムに報知できるようにする。【解決手段】配電工事の地域を含む地図情報を表示するよう、管理部門に設置してあるサーバと、サーバと通信回線を介して接続されている電力の一般需要家等の有する端末装置と、サーバに予定されている配電工事に係る所定の工事内容を入力する工事内容入力手段と、入力された所定の工事内容に基づいて地図情報中に配電工事箇所を示す所定のマークを付加する工事マーク付加手段と、端末装置の表示画面に地図情報の内容を表示する地図情報表示手段と、表示画面に表示されている地図上の所定の地点を指定する指定手段と、指定された所定の地点を含む所定範囲を工事マークＡ，Ｂ，Ｃを含めて拡大表示する拡大表示手段とからなる。【選択図】図６
2008052461.tif 000002
【特許請求の範囲】
【請求項１】
配電工事を担当する所定の地域を含む地図情報を表示するよう管理部門に設置されているサーバと、サーバと通信回線を介して接続されている端末装置と、予定されている配電工事に係る所定の工事内容をサーバに入力する工事内容入力手段と、工事内容入力手段を介して入力された所定の工事内容に基づいて地図情報中に配電工事箇所を示す所定のマークを付加する工事マーク付加手段と、端末装置の表示画面に地図情報の内容を表示する地図情報表示手段と、端末装置の表示画面に表示されている地図上の所定の地点を指定する指定手段と、指定手段により指定された所定の地点を含む所定範囲を工事マーク付加手段により付加された所定マークを含めて拡大表示する端末表示手段とを有することを特徴とする配電工事管理システム。
【請求項２】
請求項１に記載の配電工事管理システムにおいて、端末装置は、配電工事の発注元又は電力の一般需要家に設置されるものであることを特徴とする配電工事管理システム。
【請求項３】
請求項１又は２に記載の配電工事管理システムにおいて、通信回線には、配電工事担当者が所持する携帯端末機が接続されていることを特徴とする配電工事管理システム。
【請求項４】
請求項１乃至３のいずれかに記載の配電工事管理システムにおいて、通信回線には、配電工事を監視する監視要員が所持する携帯端末機が接続されていることを特徴とする配電工事管理システム。
【請求項５】
請求項１乃至４のいずれかに記載の配電工事管理システムにおいて、配電工事箇所を示す所定のマークは、配電工事の予定、配電工事中及び配電工事終了を区別して表示するものであることを特徴とする配電工事管理システム。
【請求項６】
請求項１乃至５のいずれかに記載の配電工事管理システムにおいて、配電工事の受託業務を管理する受託業務管理用処理装置が接続されていることを特徴とする配電工事管理システム。
【請求項７】
請求項１乃至６のいずれかに記載の配電工事管理システムにおいて、サーバは配電工事の工程を管理する工程管理用処理装置が接続されていることを特徴とする配電工事管理システム。
【請求項８】
請求項１乃至７のいずれかに記載の配電工事管理システムにおいて、サーバは配電工事で用いられる部品、材料、機材その他の配電工事用資材を手配する材料管理用処理装置が接続されていることを特徴とする配電工事管理システム。
【請求項９】
請求項１乃至８のいずれかに記載の配電工事管理システムにおいて、サーバには、配電工事に伴う精算処理業務を管理する精算管理用処理装置が接続されていることを特徴とする配電工事管理システム。
【発明の詳細な説明】
【技術分野】
【０００１】
本発明は配電工事管理システムに係り、特に配電工事における各段階の工事進捗状況に関する各種の情報を一般需要家・工事関係者等に効率よく提供できるようにするとともに、配電工事に係る各種業務を効率よく処理できるようにした配電工事管理システムに関する。
【背景技術】
【０００２】
従来、配電工事が行われる場合は、その配電工事が行われる旨の内容が記載されている印刷物（チラシ）が配電工事場所近くに貼付されると共に、その配電工事で影響を受ける一般需要家である各家庭や工場等に配布され、配電工事予定日時が知らされている。
【０００３】
また、配電工事を施工する会社においては、配電工事の発注元である例えば電力供給会社から発注工事を受託（受注）すると、その後の管理業務処理は手作業で、かつペーパーベースを主とした処理で業務が行われている。
【０００４】
すなわち、受注後の配電工事受託業務はペーパーベースの受託台帳が作成されるとともに、品質計画書が個別に発行され、配電工程管理業務においては工程管理台帳及び設計管理台帳もペーパーベースで行われ、配電資材業務においては必要な資材の集計及び入力も手作業で行われているとともに、在庫管理も現物ベースで行われ、そして、配電工事精算業務も手作業による各種データの入力で行われている。
【特許文献１】特になし
【発明の開示】
【発明が解決しようとする課題】
【０００５】
上述のように、配電工事が行われる場合は、配電工事が行われる近辺の一般需要家にチラシでその旨が周知されるが、これを広範囲に、かつリアルタイムで報知することが望まれていた。すなわち、配電工事が行われる場所はその工事のために道路の一部が占用されるために交通渋滞が発生しやすく、ドライバーその他の往来者にとって、その場所を事前に知って回避したいという要望もあった。さらに、一般需要家においても、配電工事に伴う停電等に起因する電子機器を保護するために、開始時・終了時・工事内容等の配電工事情報を確実に入手したいという要望があった。さらにまた、発注者である電力供給会社においても、配電工事の進捗状況をリアルタイムで把握したいという要望があった。
【０００６】
また、上述のように、配電工事を受注後の施工会社の管理業務は主として手作業で、かつペーパーベースで行われていたので、データが散在しやすく、集計処理の不一致等が発生しやすい等の不都合があった。
【０００７】
そこで本発明は、これらの要望に応えるとともに、従来存した諸欠点を解決するためになされるものであって、その目的は、開始時・終了時・工事内容・工事箇所等の配電工事情報を広範囲にわたってリアルタイムに需要家その他に報知できるとともに、配電工事の施工会社における管理業務を効率よく行えるようにした配電工事管理システムを提供することにある。
【課題を解決するための手段】
【０００８】
上記目標を達成するために本発明に係る配電工事管理システムは、配電工事を担当する所定の地域を含む地図情報を表示するよう管理部門に設置されているサーバ１と、サーバ１と通信回線７を介して接続されている端末装置１２，１３と、予定されている配電工事に係る所定の工事内容をサーバ１に入力する工事内容入力手段と、工事内容入力手段を介して入力された所定の工事内容に基づいて地図情報中に配電工事箇所を示す所定のマークを付加する工事マーク付加手段と、端末装置１２，１３の表示画面に地図情報の内容を表示する地図情報表示手段と、端末装置１２，１３の表示画面に表示されている地図上の所定の地点を指定する指定手段と、指定手段により指定された所定の地点を含む所定範囲を工事マーク付加手段により付加された所定マークＡ，Ｂ，Ｃを含めて拡大表示する端末表示手段とを有することを特徴としている。
上記構成からなる配電工事管理システムは、配電工事を施工する施工会社の管理部門、例えば本社等に設置されているサーバ１を介して地図情報中に工事内容入力手段により予定されている配電工事の所定の工事内容が入力される。そして、その入力に基づいて地図情報中に配電工事が行われる箇所に所定のマークＡ，Ｂ，Ｃが付加される。他方サーバ１に対応するクライアントに当たる端末装置１２，１３は、サーバ１から出力される地図情報の内容（地図）が表示され、その地図の所定の場所が指定されると（クリックされると）、その部分が拡大表示される。その拡大表示された地図には、配電工事の行われる箇所が工事の進捗状況に対応した表示のマークＡ，Ｂ，Ｃで表示される。
本発明に係る配電工事管理システムにおいて、端末装置１２，１３は配電工事の発注元又は電力の一般需要家に設置されるものであることを特徴としている。
本発明に係る配電工事管理システムにおいて、通信回線７には、配電工事担当者が所持する携帯端末機１４が接続されたり、配電工事を監視する監視要員が所持する携帯端末機１６が接続されたりする。
本発明に係る配電工事管理システムにおいて、配電工事箇所を示す所定のマークＡ，Ｂ，Ｃは、配電工事の予定、配電工事中及び配電工事終了を区別して表示するものである。
本発明に係る配電工事管理システムにおいて、サーバ１には、配電工事の受託業務を管理する受託業務管理用処理装置、配電工事の工程を管理する工程管理用処理装置、配電工事で用いられる部品、材料、機材その他の配電工事用資材を手配する材料管理用処理装置１０、配電工事に伴う精算処理業務を管理する精算管理用処理装置１１の少なくともいずれかが更に接続されることで構成することができる。
【発明の効果】
【０００９】
本発明に係る配電工事管理システムは、配電工事を担当する所定の地域を含む地図情報を表示するよう管理部門に設置されているサーバ１と、サーバ１と通信回線７を介して接続されている端末装置１２，１３と、予定されている配電工事に係る所定の工事内容をサーバ１に入力する工事内容入力手段と、入力された所定の工事内容に基づいて地図情報中に配電工事箇所を示す所定のマークを付加する工事マーク付加手段と、端末装置１２，１３の表示画面に地図情報の内容を表示する地図情報表示手段と、表示されている地図上の所定の地点を指定する指定手段と、指定された所定の地点を含む所定範囲を工事マーク付加手段により付加された所定マークＡ，Ｂ．Ｃを含めて拡大表示する拡大表示手段とからなるので、配電工事箇所を広範囲にわたってリアルタイムに知らせることができる。
【００１０】
また、端末装置１２，１３が配電工事の発注元又は電力の一般需要家に設置されるものであるから、配電工事の発注元である電力供給会社においては配電工事の進捗状況をリアルタイムで把握することができ、また、電力の一般需要家においても配電工事情報をリアルタイムで入手することができる。
【００１１】
通信回線７に配電工事担当者が所持する携帯端末機１４が接続されているので、その携帯端末機１４を介して配電工事情報を現場において入力してその情報をサーバ１に送出することができる。また、通信回線７に、配電工事を監視する監視要員が所持する携帯端末機１６が接続されているので、その携帯端末機１６を介して配電工事情報を現場において入力してその情報をサーバ１に送出することができる。
【００１２】
配電工事箇所を示す所定のマークＡ，Ｂ，Ｃが、配電工事の予定、配電工事中及び配電工事終了等を区別して表示するから、そのマークの表示内容により配電工事の進捗状況が一目瞭然となる。
【００１３】
サーバ１に、配電工事の受託業務を管理する受託業務管理用処理装置８が接続されているので、受託業務の自動化を図ることができる。また、サーバ１には配電工事の工程を管理する工程管理用処理装置９が接続されることで、工程管理表を自動作成することができる。サーバ１に配電工事で用いられる部品、材料又は機材を手配する材料管理用処理装置１０が接続されることで、配電工事で用いられる部品、材料、機材その他の配電工事用資材を自動的に手配することができる。サーバ１に配電工事に伴う精算処理業務を管理する精算管理用処理装置１１が接続されることで、精算処理業務の自動化を図ることができる。
【００１４】
尚、上記の課題を解決するための手段、発明の効果の項夫々において付記した符号は、図面中に記載した構成各部を示す部分との参照を容易にするために付した。本発明は図面中の符号によって示された構造・形状等に限定されない。
【発明を実施するための最良の形態】
【００１５】
以下図面を参照して本発明を実施するための最良の形態を説明する。図１は本発明に係る配電工事管理システムのブロック図であって、図中の符号１は、配電工事を施工する工事担当業者における例えば管理部門（図示では施工会社の本社）に設置されている、比較的大型のコンピュータからなるサーバである。すなわち、このサーバ１はメモリ２に格納されている所定のシステムプログラム及びワーキングデータを用いて所定の演算処理を行う演算部（ＣＰＵ）３を有している。
【００１６】
この演算部（ＣＰＵ）３には、地図データ記憶部４が接続されている。地図データ記憶部４には、配電工事施工業者が担当する地域の地図情報（後述する図３参照）が記憶されている。この地図データ記憶部４への地図データの記憶は入力ユニット５を介して入力することもできるが、通信制御部６を介して外部から入力して最新の地図情報が記憶できるように構成されている。すなわち、通信制御部６及びインターネットを含んで構成される通信回線７を介して地図情報提供業者から提供されている地図情報を取り込んで地図データ記憶部４に記憶されている。なお、地図情報は地図情報提供業者が提供する地図データにリンクさせることで、この地図データ記憶部４を含めないで構成することもできる。
【００１７】
入力ユニット５はキーボードやテンキー等の公知の入力機器を含んで構成されていて、配電工事の発注元である電力供給会社から配電工事を受託（受注）したときに、その受託に係る所定の工事内容その他の配電工事に係る各種のデータ等の工事内容データを入力できるように構成されている。この工事内容データは配電工事の行われる例えば電柱の識別データ、設計事項・期限・時期・場所その他の工事内容等で形成されている。なお、この工事内容データの入力は、その全部又は一部を配電工事の発注元（電力供給会社）の配電管理用ホストコンピュータから通信制御部６及び通信基地局を介して自動的に取り込むようにしても良い。
【００１８】
工事内容として、一般に表示される情報は、例えば工事地の住所・地域名称、規制範囲、工事開始・終了予定日、工事規模、地上・地下・架空等の区別、その他とすることができる。
【００１９】
また図中符号６は演算部（ＣＰＵ）３に接続されている出力ユニットであり、表示画面及びプリンタ等からなる公知の出力機器で構成されている。また、演算部（ＣＰＵ）３には、通信制御部６を介して配電工事の発注元から配電工事を受託したときの受託台帳や品質計画書等の配電工事受託に伴う帳票を作成する、コンピュータを中心に構成される受託業務管理用処理装置８が接続されている。また、配電工事の工程を個別に画面表示できるようにすると共に、設計書の所在等を統括的に管理する、コンピュータを中心に構成される工程管理用処理装置９が接続されている。また、配電工事に必要なクランプ等の部品、電線等の材料、機材等の配電工事用の各種の資材を手配するとともに、在庫管理を行う、コンピュータを中心に構成される材料管理用処理装置１０が接続されている。また、配電工事に伴う費用の請求金額を処理するとともに、期末においては設計書棚卸を自動集計する、コンピュータを中心に構成される精算管理用処理装置１１が接続されている。なお、上述の各処理装置８，…１１は、サーバ１と別体構成とされているが、各処理装置８，…１１の機能の一部又は全部をサーバ１に持たせるようにしてもよい。
【００２０】
図中符号１２は、配電工事の発注元である電力供給会社に設置されていて通信回線７に接続されている、サーバ１に対応するクライアントに相当するパーソナルコンピュータからなる端末装置である。同じく符号１３は、電力の一般需要家である一般家庭、工場、事務所等に設置されていて通信回線７に接続されている端末装置（クライアント）である。  
【００２１】
図中符号１４は、通信基地局１５を介して通信回線７に接続される配電工事の作業員が所持する無線通信機能を有する携帯端末機である。また符号１６は、同様に通信基地局１５を介して通信基地局に接続される、配電工事を監視する監視要員が所持する無線機能を有する携帯端末機である。これら携帯端末機１４，１６は、公知のＰＡＤを用いることもできる。また、携帯電話機（ＰＨＳを含む）に情報入力機能を持たせて携帯端末機とすることもできる。
【００２２】
次に図２のフローチャートを用いてサーバ１における地図データ記憶部４へのデータ記憶制御動作について説明する。今、配電工事の発注元（電力供給会社）から所定の配電工事の受託があったとする（ステップ１００工程。以下ステップ「Ｓ」とする。）。この場合、入力ユニット５を介してその配電工事を設定する所定の識別情報（以下「ＩＤ」という）、施工日時情報、配電工事に係る電柱ＩＤ、工事内容等の所定の工事内容が入力される（Ｓ１０２）。
【００２３】
入力ユニット５によって所定の工事内容に係る各種のデータが入力されると、配電工事の施工場所が決まるので、その施工に係る設置電柱その他の場所が確定する。すると、その設置場所に対応する地図データ記憶部４に記憶されている地図データ情報中に、配電工事の予定を示す所定の工事予定マークＡが付加される（Ｓ１０４）。すなわち、地図データ記憶部４には配電工事の施工業者が担当する地域の地図情報が記憶されているので、この中に工事予定を示す所定の工事予定マーク（後述する図６の符号Ａ参照）の情報が付加される。
【００２４】
このように配電工事の予定を示す工事予定マークＡが付加された地図情報は配電工事用の所定日数前（例えば１０日前）になると、通信回線（インターネット）７を介して公開されるように構成されている（Ｓ１０６工程、Ｓ１０８）。そして、この公開された地図情報において、配電工事中は工事中マークＢが表示され、配電工事終了後は工事終了マークＣに切替表示され、数日（例えば１０日）経過すると配電工事に係る全てのマークが消去されるように構成されている（Ｓ１１０工程）。
【００２５】
次に図４のフローチャートを用いて配電工事の発注元（電力供給会社）の有する端末装置１２及び一般需要家の有する端末装置１３を用いた配電工事の入手方法について説明する。なお、両装置１２，１３の情報入手方法は同じであるので、ここでは一般需要家の端末装置１３を例に説明する。なお、この配電工事情報は通信回線（インターネット）７に接続されている端末装置であれば制限なく入手することができる。したがって、道路交通情報を提供している業者等においても入手でき、その入手した配電工事情報を基に適切な道路交通情報を提供することができる。
【００２６】
さて、今、一般需要家の有する端末装置１３が起動されて配電工事検索モードにされたとする（Ｓ２００工程）。このモード設定により、その端末装置１３の表示画面には、図３に示される配電工事の施工業者が担当する全体地図が表示される（Ｓ２０２）。そして、一般需要家が例えば、自分の家の近くを指定すると（クリックすると）（Ｓ２０４工程）、その指定された地域（例えば工事施工会社における営業所・営業管轄単位）を含む第１の拡大された地図情報の内容が表示される（Ｓ２０６）。この第１の拡大された地図情報の一例が図５に示されており、これは周辺地域に比し例えば１．２〜１．５倍程度で拡大表示されて選択した地域が一目でわかるようにしている。
【００２７】
第１の拡大された地図によって、確認しようとする地域を明瞭にでき、例えば自分の家の近くを指定することが可能となる。一般需要家がその第１の拡大表示された地図の所定箇所を詳しく指定すると（クリックすると）、図６に示されるような第１の拡大された地図よりもさらに拡大された第２の地図情報の内容が表示される（Ｓ２０８工程、Ｓ２１０）。この第２の拡大された地図中には工事の進捗状況に対応して、黒丸（図６の符号Ａ参照）で示される配電工事の予定を示す工事予定マーク、作業中の車両（図６の符号Ｂ参照）で示される配電工事中を示す工事中マーク、及び白丸（図６の符号Ｃ参照）で示される配電工事終了を示す工事終了マークが表示される。
【００２８】
上述の工事予定マークＡは、上述したように入力ユニット５を介して工事内容の入力により付加される。そして、工事中マークＢ及び工事終了マークＣは、配電工事の作業員が所持する携帯端末機１４から配電工事の開始に先立って、作業中を示す所定の情報がサーバ１に受信されたときに工事予定マークＡが工事中マークＢに切り換えられる。さらに、その配電工事が終了したときに、その携帯端末機１４から工事終了を示す所定の情報がサーバ１に受信されたときに工事中マークＢが工事終了マークＣに切り換えられる。
【００２９】
一般需要家によって配電工事に係る所定マークＡ，Ｂ，Ｃの箇所が指定されると（クリックされると）、さらに詳細な情報が表示される現場拡大地図の内容（図４のフローチャートでは第３の拡大された表示）が表示される（Ｓ２１２工程、Ｓ２１４）。この詳細な情報を表示する現場拡大地図は、画面における第２の拡大地図上にダイアログ的に重ねて表示され、ドラッグ操作によって画面上で移動可能にしてある。図７は図６中にある一つの配電工事の予定を示す工事予定マークＡが指定されたときの現場拡大地図の内容の一例である（図７中の符号Ａは工事予定マークを示している。）。図８は、図６中のある一つの配電工事中を示す工事中マークＢが指定されるときの現場拡大地図の内容の一例である（図８中の符号Ｂは工事中マークを示している。）。そして、図９は図６中のある一つの配電工事の終了を示す工事終了マークＣが指定されたときの現場拡大地図の内容の一例である（図９中の符号Ｃは工事終了マークを示している。）。これらの工事内容の進捗状況に関する情報の表示は配電工事検索モード終了まで行われる（Ｓ２１６工程）。これらの詳細な現場拡大地図では、地図表示と共に配電工事現場の住所地が掲載され、施工会社のメッセージも表示されるようにしている。
【００３０】
上述のように本発明に係る配電工事管理システムは、端末装置１２，１３を介して広く配電工事の状況をリアルタイムに報知できる特長を有している。又、サーバ１には配電工事を監視する監視員の所持する携帯端末機１６からも情報が入力されるので、例えば追加工事が必要な場合であっても速やかに対処することができる。
【００３１】
加えて、作業員の所持する携帯端末機１４からは、配電工事のＩＤとともにその進み具合がサーバ１に入力されるので、工程管理が自動的に行えるだけでなく、作業日報等の日常業務に係る各種報告書等の書類作成が自動化されるという特長を有している。
【００３２】
なお、上述の例では端末装置１２，１３に表示する地図情報は３段階に拡大して表示するようにしたが、これを２段階にすることもできる。この場合は、図３に示される当初の表示内容から図５に示される内容が省略されて、例えば図６に示される内容とされる。
【産業上の利用可能性】
【００３３】
本発明に係る配電工事管理システムは、電力供給の配電設備、特にそのケーブル敷設経路における各種の配電工事の進捗状況のリアルタイムな把握を可能とさせるも、これを各種の工事管理システムに利用することもできる。例えば水道工事、ガス工事更には各種の道路工事における進捗状況の報知に応用することができる。
【図面の簡単な説明】
【００３４】
【図１】本発明に係る配電工事管理システムのブロック図である。
【図２】制御動作を示すフローチャートである。
【図３】配電工事の施工業者が担当する地図情報の内容の一例である。
【図４】制御動作を示すフローチャートである。
【図５】第１の拡大された地図情報の内容の一例である。
【図６】第２の拡大された地図情報の内容の一例である。
【図７】配電工事の工事予定マークが表示された現場拡大地図の一例である。
【図８】配電工事中を示す工事中マークが表示された現場拡大地図の一例である。
【図９】配電工事終了を示す工事終了マークが表示された現場拡大地図の一例である。
【符号の説明】
【００３５】
１…サーバ                              ２…メモリ
３…演算部（ＣＰＵ）                    ４…地図データ記憶部
５…入力ユニット                        ６…通信制御部
７…通信回線                            ８…受託業務管理用処理装置
９…工程管理用処理装置                  １０…材料管理用処理装置
１１…精算管理用処理装置                １２…端末装置
１３…端末装置                          １４…携帯端末機
１５…通信基地局                        １６…携帯端末機
Ａ…工事予定マーク                      Ｂ…工事中マーク
Ｃ…工事終了マーク
【図１】
2008052461.tif 000003
【図２】
2008052461.tif 000004
【図３】
2008052461.tif 000005
【図４】
2008052461.tif 000006
【図５】
2008052461.tif 000007
【図６】
2008052461.tif 000008
【図７】
2008052461.tif 000009
【図８】
2008052461.tif 000010
【図９】
2008052461.tif 000011